(57)【要約】【課題】携帯端末のサイズの自由度を制約することなく、筐体の側面に設けたサイドキーを覆うサイドカバーを取り付けることができる携帯端末を提供する。【解決手段】筐体２０の側面に設けられた複数のサイドキー基板６１に対応して設けられた開口６４１は、筐体２０の側面に取り付けられるキーカバー６４で覆われる。キーカバー６４は、爪部６５１を先端に有する腕部６５を有しており、腕部６５を筐体２０の側面に設けられた側面凹部４３の奥側の段差部４３１に係合して取り付けられる。このため、筐体２０の厚さ方向に必要なスペースを抑えることができ、携帯端末１０のサイズおよび形状の自由度を制約することなく、筐体２０の側面に設けたサイドキー基板６１を覆うキーカバー６４を取り付けることができる。【選択図】図２
2013110642.tif 000002
【特許請求の範囲】
【請求項１】
筐体と、
前記筐体の側面と裏面との間の稜線に沿って設けられた面取部と、
前記側面に設けられた複数のサイドキーと、
前記複数のサイドキーにそれぞれ対応する位置に複数の開口を有するとともに、前記側面に取り付けられるキーカバーと、
前記キーカバーにおける前記開口よりも前記面取部側に設けられ、前記側面に設けられた側面凹部に挿入される腕部と、
前記腕部の先端に設けられ、前記側面凹部の奥側に設けられた段差部に係合する爪部と、を備える携帯端末。
【請求項２】
請求項１に記載の携帯端末において、
前記筐体はケースおよびカバーを有し、
前記カバーに設けられ、前記ケースに向かって突出するカバーリブの突出方向の先端部に形成されたカバー段差部と、
前記ケースに設けられ、前記カバーに向かって突出するケースリブにおける基端部に設けられて前記カバー段差部に係合するケース段差部と、を有し、
前記ケース段差部の基端部に前記側面凹部が設けられている携帯端末。
【請求項３】
請求項２に記載の携帯端末において、
前記腕部を複数有するとともに、
前記カバーリブの突出方向先端部に形成され、かつ、前記カバーリブの連続方向に沿う溝部と、
前記溝部に収容され、前記カバーに収容された第１回路基板および第２回路基板のうちの少なくとも一方に接続される電線と、
前記側面凹部に対応して前記ケースリブの基端部に設けられた複数の箱部と、を有し、
前記箱部は、前記溝部から前記電線の脱落を規制する携帯端末。
【請求項４】
請求項３に記載の携帯端末において、
前記各腕部は前記各サイドキーの間に設けられる携帯端末。
【発明の詳細な説明】
【技術分野】
【０００１】
本発明は、筐体の側面にサイドキーを有する携帯端末に関するものである。
【背景技術】
【０００２】
従来より、筐体の側面にサイドキーが設けられている携帯端末が知られている（例えば、特許文献１参照）。
図１６に示すように、特許文献１に記載の携帯端末１００は、防水性を有する筐体１０１を有する。筐体１０１の側面には、スライドキー１０２および押下ボタン１０３を有するサイドキー部１０４が設けられている。スライドキー１０２および押下ボタン１０３の上側（外側）には、キーカバー１０５が取り付けられる。
【０００３】
キーカバー１０５にはスライドキー１０２用のキートップ１０６が設けられており、キートップ１０６をスライドさせると、ホルダ部１０８を介してスライドキー１０２をスライドさせる。
また、キーカバー１０５には押下ボタン１０３用のキートップ１０７が設けられており、キートップ１０７を押下すると押下ボタン１０３を押下する。
【先行技術文献】
【特許文献】
【０００４】
【特許文献１】特開２００８−１０２８０号公報（第４図）
【発明の概要】
【発明が解決しようとする課題】
【０００５】
前述した特許文献１に記載の携帯端末等においては、キーカバーを筐体に取り付ける際に、両面テープを用いる場合がある。
しかしながら、特に、筐体が防水性を有する携帯端末においては、筐体の防水領域に外側から両面テープでキーカバーを貼り付ける際に、ある程度の貼付面積が必要となり、携帯端末のサイズの自由度を制約するという問題があった。
【０００６】
本発明は、従来の問題を解決するためになされたもので、携帯端末のサイズの自由度を制約することなく、筐体の側面に設けたサイドキーを覆うサイドカバーを取り付けることができる携帯端末を提供することを目的とする。
【課題を解決するための手段】
【０００７】
本発明の携帯端末は、筐体と、前記筐体の側面と裏面との間の稜線に沿って設けられた面取部と、前記側面に設けられた複数のサイドキーと、前記各サイドキーに対応した複数の開口を有するとともに、前記側面に取り付けられるキーカバーと、前記キーカバーにおける前記開口よりも前記面取部側に設けられ、前記側面に設けられた側面凹部に挿入される腕部と、前記腕部の先端に設けられ、前記側面凹部の奥側に設けられた段差部に係合する爪部と、を備えるものである。
【０００８】
また、本発明の携帯端末においては、前記筐体はケースおよびカバーを有し、前記カバーに設けられ、前記ケースに向かって突出するカバーリブの突出方向の先端部に形成されたカバー段差部と、前記ケースに設けられ、前記カバーに向かって突出するケースリブにおける基端部に設けられて前記カバー段差部に係合するケース段差部と、を有し、前記ケース段差部の基端部に前記側面凹部が設けられているものである。
【０００９】
また、本発明の携帯端末は、前記腕部を複数有するとともに、前記カバーリブの突出方向先端部に形成され、かつ、前記カバーリブの連続方向に沿う溝部と、前記溝部に収容され、前記カバーに収容された第１回路基板および第２回路基板のうちの少なくとも一方に接続される電線と、前記側面凹部に対応して前記ケースリブの基端部に設けられた複数の箱部と、を有し、前記箱部は、前記溝部から前記電線の脱落を規制するものである。
【００１０】
さらに、本発明の携帯端末においては、前記各腕部は前記各サイドキーの間に設けられるものである。
【発明の効果】
【００１１】
本発明は、キーカバーは、爪部を先端に有する腕部を有しており、腕部を筐体の側面に設けられた側面凹部の奥側の段差部に係合して取り付けられる。このため、筐体の厚さ方向に必要なスペースを抑えることができ、携帯端末のサイズおよび形状の自由度を制約することなく、筐体の側面に設けたサイドキーを覆うサイドカバーを取り付けることができるという効果を有する携帯端末を提供できる。
【図面の簡単な説明】
【００１２】
【図１】（Ａ）は本発明に係る実施形態の携帯端末を上面側から見た斜視図であり、（Ｂ）は下面側から見た斜視図
【図２】携帯端末の下面を上にして見た分解斜視図
【図３】ケースおよびカバーを内面側から見た分解斜視図
【図４】（Ａ）は図３中ＩＶ部分の拡大図であり、（Ｂ）は（Ａ）中Ｂ−Ｂ位置の断面図
【図５】図３中Ｖ部分の拡大図
【図６】図３中ＶＩ部分の拡大図
【図７】図６中ＶＩＩ方向から見た斜視図
【図８】図３中ＶＩＩＩ方向から見た拡大図
【図９】図２中Ｘ方向から見た拡大斜視図
【図１０】キーカバーの分解斜視図
【図１１】携帯端末をケース側から見た平面図
【図１２】図１１中ＸＩＩＩ−ＸＩＩＩ位置の断面図
【図１３】図１１中ＸＩＶ−ＸＩＶ位置の断面図
【図１４】図１１中ＸＶ−ＸＶ位置の断面図
【図１５】図１１中ＸＶＩ−ＸＶＩ位置の断面図
【図１６】従来の筐体内部に配線を有する送受信装置の分解斜視図
【発明を実施するための形態】
【００１３】
以下、本発明に係る実施形態の携帯端末について、図面を用いて説明する。
図１（Ａ）および（Ｂ）に示すように、本発明に係る実施形態の携帯端末１０としては、例えばスマートフォンを用いることができ、矩形箱状の筐体２０を有する。
なお、以下の説明において、使用者が、操作部を通常操作する状態において上方となる側を上側と云い、使用状態において下方となる側を下側と云うこととする。
【００１４】
筐体２０は、上方に開口した箱状のケース２１と、ケース２１の開口を覆うカバー２２とを有する。
カバー２２は、強度確保のための板金部材２５（図１２参照）がインサート成形されており、表面は樹脂で覆われている。カバー２２は、例えば、上面２２２に、表示部および操作部を兼ね備えたタッチパネル２２１を有する。
【００１５】
ケース２１は樹脂により成形されている。ケース２１は、矩形板状の底板２３と、底板２３の外周に沿って全周に設けられている縦壁２４を有する。また、底板２３における前部下面にはリング状のフレーム２３１が設けられており、フレーム２３１の中心には、カメラ２８（図２参照）用の貫通孔を覆うカメラ用レンズカバー２３２が設けられている。
ケース２１前面の縦壁２４である前縦壁２４１には、外部機器との接続部２６が設けられており、側面である側縦壁２４２には、複数個のサイドキーとしてのキートップ６３２を有するサイドキー部６０が設けられている。図１２に示すように、筐体２０の側面であるケース２１の側縦壁２４２と、筐体２０の裏面であるケース２１の底板２３との間の稜線には、筐体２０の全周にわたって面取部２１３が設けられている。
【００１６】
図２および図３に示すように、ケース２１は、ケース本体２１１と電池蓋５０を有する。ケース本体２１１は、底板２３に電池パック１１（図１２参照）用の開口２３３（以後、「電池パック用開口２３３」という。）を有し、電池蓋５０は、電池パック用開口２３３を着脱可能に覆う。
カバー２２は、後部（図２中右側部）に、電池パック１１を収容可能な電池収容部２２３を有する。従って、電池収容部２２３の下側（図２において上側）にはケース２１の電池パック用開口２３３が位置し、電池蓋５０により覆われる。
【００１７】
カバー２２には、電池収容部２２３の前側に隣接して、第１回路基板２７１が取り付けられる。また、カバー２２には、第１回路基板２７１とは反対側で電池収容部２２３の後側（図２において右下側）に隣接して、第２回路基板２７２が取り付けられる。第１回路基板２７１と第２回路基板２７２との間には、電線２９としてのフレキシブル基板２９１および同軸ケーブル２９２が配線されている。フレキシブル基板２９１は、両端が第１回路基板２７１および第２回路基板２７２にコネクタ等を介して接続される。同軸ケーブル２９２は、例えば、一端が第１回路基板２７１に接続され、他端がアンテナ（図示省略）に接続される。
なお、ここでは、第２回路基板２７２は、フレキシブル基板２９１の後部２９１Ａと一体に設けられている。
【００１８】
図３に示すように、ケース２１における電池パック用開口２３３に隣接する位置には、カバー２２に向かって突出するケースリブ３１が設けられている。ケースリブ３１は、ケース２１の外周縁に沿って、全周にわたって設けられている。
また、カバー２２においてケースリブ３１に隣接する位置（すなわち、電池収容部２２３に隣接する位置）には、ケース２１に向かって突出するカバーリブ３２が、カバー２２の外周縁に沿って全周にわたって設けられている。図１２に示すように、カバーリブ３２は、電池収容部２２３側の内カバーリブ３２Ａと、外側の外カバーリブ３２Ｂで構成される。
なお、内カバーリブ３２Ａおよび外カバーリブ３２Ｂを総称する場合は、「カバーリブ３２」で示す。
【００１９】
図４（Ａ）には、筐体２０の左側後端部におけるカバー２２が示されている。
図４（Ａ）に示すように、カバーリブ３２の突出方向先端部には、カバーリブ３２の連続方向に沿って溝部３３が設けられている。溝部３３には、電線２９が収容される。図４（Ａ）においては、電線２９としてのフレキシブル基板２９１が収容されている（図３参照）。また、電池収容部２２３を挟んで反対側（以後、「スイッチ側」という。）の溝部３３には、例えば、アンテナ用の電線２９としての同軸ケーブル２９２が収容される（図３および図１２参照）。
これは、フレキシブル基板２９１とアンテナの同軸ケーブル２９２が近いと、ノイズが入ってアンテナ性能が劣化するため、筐体２０における反対側に配置して、できるだけ離している。
なお、図１２に示すように、溝部３３は、電線２９（ここでは、同軸ケーブル２９２）がカバー段差部３４から露出しない深さ寸法を有する。
【００２０】
図４（Ａ）に示すように、カバーリブ３２の突出方向（図４（Ａ）において上方）の先端部には、全体凹状のカバー段差部３４が、複数個形成されている。
図５に示すように、ケースリブ３１における先端部（図５において下端部）には、カバー段差部３４に係合するケース段差部３５が設けられている。ケース段差部３５は全体凸状を呈しており、カバー段差部３４の幅と同等の幅を有する。
【００２１】
図４（Ａ）に示すように、カバーリブ３２において外カバーリブ３２Ｂの外面３２１には、第１凸部３６がカバーリブ３２の突出方向（上下方向）に沿って設けられている。また、図５に示すように、ケース２１の内面２１２には、第２凸部３７がケース２１の厚み方向に沿って設けられている。第１凸部３６と第２凸部３７とは、筐体２０における長手方向の同じ位置に設けられている。
従って、図４（Ｂ）に示すように、ケース２１とカバー２２を取り付けた際に、第１凸部３６と第２凸部３７とは互いに同じ位置にあって対向しており、先端面がカバーリブ３２の突出方向に沿って線接触する。
これにより、ケース２１とカバー２２とを取り付けた際に、ケース２１とカバー２２の幅方向の位置決めを行う。
【００２２】
図６および図７には、筐体２０の右側（スイッチ側）の後端部におけるカバー２２が示されている。
図６に示すように、カバーリブ３２の突出方向（図６において上方）の先端部には、全体凹状のカバー段差部３４が、複数個形成されている。
【００２３】
図８には、筐体２０の右側（スイッチ側）の後端部におけるケース２１が示されている。
図８に示すように、ケースリブ３１における先端部（図８において下端部）には、カバー段差部３４に係合するケース段差部３５が設けられている。ケース段差部３５は全体凸状を呈しており、カバー段差部３４の幅と同等の幅を有する。また、ケース段差部３５は、カバー段差部３４の一対の凹部３４１に嵌合する一対の嵌合部３５１を有するとともに、一対の嵌合部３５１の間には、平坦部３５２が設けられている。
【００２４】
従って、ケース２１とカバー２２とを取り付けた際に、ケース段差部３５の嵌合部３５１（図８参照）がカバー段差部３４の一対の凹部３４１（図９参照）に嵌合する。
これにより、ケース２１とカバー２２の筐体２０の長手方向における位置関係および筐体２０の厚み方向の位置関係を特定する。
また、ケース段差部３５が同軸ケーブル２９２を押えるので、同軸ケーブル２９２が溝部３３から脱落するのを防止する。
【００２５】
図７に示すように、カバーリブ３２における内カバーリブ３２Ａの内面３２２には、爪部３８が設けられている。
また、図２および図１３に示すように、ケースリブ３１における電池収容部２２３とは反対側の外面３１１には、カバーリブ３２の爪部３８に対応する位置に、爪部３８に係合する爪凹部３９が内面３１２まで貫通して設けられている（図８参照）。
従って、カバー２２をケース２１に取り付ける際には、カバーリブ３２がケース２１の縦壁２４とケースリブ３１との間に挿入される。そして、カバーリブ３２の爪部３８が、ケースリブ３１の外面３１１側からケースリブ３１の爪凹部３９に挿入されて係止され、ケース２１とカバー２２とが一体化する（図１３参照）。
【００２６】
図３に示すように、電池蓋５０は、矩形板状の蓋本体５１の上面５１１（図３において下側の面）に、上面５１１の外周縁部に沿って全周に縦リブ５１２が設けられている。
図１２に示すように、縦リブ５１２の先端は外側に屈曲した止め部５１３が全周にわたって設けられており、Ｏリング５２が係止されている。
Ｏリング５２はゴム等の弾性部材で輪状に形成されており、全周の長さは縦リブ５１２の全周の長さよりも若干短く形成されている。従って、Ｏリング５２は若干伸びた状態で取り付けられる。
これにより、電池蓋５０を電池パック用開口２３３に取り付けた際に、防水を図っている。
【００２７】
図３に示すように、電池蓋５０において長手方向に沿って設けられている一方の縦リブ５１２には、先端に係止片５１４が設けられており、ケースリブ３１には、係止片５１４が係合する係止凹部４１が設けられている。
また、図３および図１２に示すように、他方の縦リブ５１２には係止爪５１５を有する係止部５１６が設けられており、ケースリブ３１の内面３１２において係止爪５１５に対応する位置には、係止爪５１５が係合する蓋固定部４２が設けられている。
【００２８】
図２に示すように、ケース２１の側縦壁２４２の後部には、サイドキー部６０が設けられている。
図６に示すように、カバー２２のカバーリブ３２における外カバーリブ３２Ｂの外面３２１には、複数個（ここでは、例えば４個）のサイドキー基板６１が設けられている（図１３および図１４参照）。
図９に示すように、サイドキー部６０に対応して、ケース２１の側縦壁２４２には凹部２４３が設けられている。凹部２４３には、カバー２２に設けられているサイドキー基板６１に対応して切欠き２４４が設けられている。また、凹部２４３における外面２４６には、係止突起２４５が適宜の間隔で外向きに突出して設けられている。
【００２９】
図２に示すように、凹部２４３には、キー板６２、キーホルダ６３、キーカバー６４が取り付けられる。
図１０に示すように、キー板６２は凹部２４３の外面２４６に取り付けられて、切欠き２４４を貫通するキー押圧部６２１を有する。各キー押圧部６２１は連結板６２２により連結されており、図１０中矢印Ａ方向へ弾性変形可能となっている。連結板６２２は、複数の係止孔６２３を有しており、係止孔６２３を凹部２４３の係止突起２４５に取り付ける。
これにより、キー押圧部６２１は凹部２４３の切欠き２４４を貫通して、先端がサイドキー基板６１に対向する。
【００３０】
図１０に示すように、キーホルダ６３は、キー板６２のキー押圧部６２１に対応して押圧突起６３１を有するキートップ６３２が複数設けられている。各キートップ６３２は、ばね部材６３３を介して連結されており、ばね部材６３３は連結部６３４を有する。各連結部６３４には係止孔６３５が設けられている。
【００３１】
従って、連結部６３４の係止孔６３５を、凹部２４３の係止突起２４５に係止することにより、押圧突起６３１はキー板６２のキー押圧部６２１に外側から挿入される。キーカバー６４の下部（図１２において上部、電池蓋５０側）は、係止爪５１５により、ケース２１に取り付けられる。
一方、キーカバー６４の上部（図１２において下部、タッチパネル２２１側）は、両面テープ６６によってケース２１に固定される。
【００３２】
図１０に示すように、キーカバー６４は、キーホルダ６３のキートップ６３２に対応して、複数個の開口６４１が設けられている。また、凹部２４３の係止突起２４５に対応して係止孔６４２が設けられている。
キーカバー６４の内面６４３には、複数個（ここでは、例えば３個）の腕部６５が、内側に突出して設けられている。
図１２に示すように、腕部６５は、先端に爪部６５１を有する。腕部６５は、隣接するサイドキー基板６１の間において、開口６４１よりも面取部２１３側に配置されている。一方、ケース２１の側面であるケース段差部３５には、腕部６５が挿入される側面凹部４３が設けられている（図１５参照）。
従って、腕部６５を側面凹部４３に挿入し、腕部６５の先端の爪部６５１で側面凹部４３の段差部４３１を係止することにより、キーカバー６４をケース２１の凹部２４３に取り付ける。
【００３３】
なお、図１２に示すように、ケース２１の上端面（図１２において下端面）としてのケースリブ３１の上端面３１３は、両面テープ４４によって、カバー２２の下端面（図１２において上端面）としてのカバーリブ３２に接着されている。
従って、防水領域と非防水領域との境界である止水線Ｌ１（図１２おいて点線で表示）は、電池蓋５０、Ｏリング５２、ケースリブ３１、両面テープ４４を通って、カバーリブ３２に至る。このため、サイドキー部６０は止水線Ｌ１の外側であり、非防水領域にあるため、キーカバー６４には防水性が要求されない。
【００３４】
以上、説明した本発明に係る実施形態の携帯端末１０によれば、筐体２０の側面に設けられた凹部２４３には、キー板６２、キーホルダ６３、キーカバー６４が取り付けられる。
キーカバー６４は、爪部６５１を先端に有する腕部６５を有しており、腕部６５を筐体２０の側面に設けられた側面凹部４３の奥側の段差部４３１に係合して取り付けられる。このため、筐体２０の厚さ方向に必要なスペースを抑えることができ、携帯端末１０のサイズおよび形状の自由度を制約することなく、筐体２０の側面に設けたサイドキー基板６１を覆うキーカバー６４を取り付けることができる。
【００３５】
また、カバー２２にカバー段差部３４（図６、図７参照）を設けるとともに、ケース２１にケース段差部３５（図５、図８参照）を設け、カバー段差部３４とケース段差部３５を係合させることにより、ケース２１とカバー２２の位置決めを行う。このケース段差部３５の基端部に側面凹部４３を設けたので、腕部６５の先端の爪部６５１を係止する構造を別途設ける必要がなくなり、携帯端末１０のサイズおよび形状の自由度が増す。
また、ケース段差部３５の基端部に側面凹部４３を設けたので、防水性を有する筐体２０においても、側面凹部４３を防水領域の外側に設けることができる。このため、防水性能を阻害しない。
【００３６】
また、カバーリブ３２の突出方向先端部でカバーリブ３２の連続方向に沿って溝部３３（図７参照）を形成し、電線２９（図３参照）を収容する。また、ケース２１リブの基端部には、腕部６５を係止する複数個の側面凹部４３に対応して嵌合部３５１（図８参照）が設けられており、この嵌合部３５１が溝部３３の電線２９を複数箇所で抑えるので、電線２９の脱落を防止できる。
【００３７】
また、各腕部６５は各サイドキー基板６１の間に設けられているので、通常の両面テープ止めの場合のようにキーの下に両面テープを回すことが不要になり、キー＋両面テープ分の幅スペースを削減することができる。
【００３８】
なお、本発明の携帯端末は、前述した実施形態に限定されるものでなく、適宜な変形，改良等が可能である。
【産業上の利用可能性】
【００３９】
以上のように、本発明にかかる携帯端末は、キーカバーは、爪部を先端に有する腕部を有しており、腕部を筐体の側面に設けられた側面凹部の奥側の段差部に係合して取り付けられる。このため、筐体の厚さ方向に必要なスペースを抑えることができ、携帯端末のサイズおよび形状の自由度を制約することなく、筐体の側面に設けたサイドキーを覆うサイドカバーを取り付けることができるという効果を有し、筐体の側面にサイドキーを有する携帯端末等として有用である。
【符号の説明】
【００４０】
１０  携帯端末
２０  筐体
２１  ケース
２１３  面取部
２２  カバー
２４２  側縦壁（側面）
２７１  第１回路基板
２７２  第２回路基板
２９１  フレキシブル基板（電線）
２９２  同軸ケーブル（電線）
３１  ケースリブ
３２  カバーリブ
３３  溝部
３４  カバー段差部
３５  ケース段差部
３５２  平坦部（箱部）
４３  側面凹部
４３１  段差部
６１  サイドキー基板（サイドキー）
６４  キーカバー
６４１  開口
６５  腕部
６５１  爪部
【図１】
2013110642.tif 000003
【図２】
2013110642.tif 000004
【図３】
2013110642.tif 000005
【図４】
2013110642.tif 000006
【図５】
2013110642.tif 000007
【図６】
2013110642.tif 000008
【図７】
2013110642.tif 000009
【図８】
2013110642.tif 000010
【図９】
2013110642.tif 000011
【図１０】
2013110642.tif 000012
【図１１】
2013110642.tif 000013
【図１２】
2013110642.tif 000014
【図１３】
2013110642.tif 000015
【図１４】
2013110642.tif 000016
【図１５】
2013110642.tif 000017
【図１６】
2013110642.tif 000018